(57)【特許請求の範囲】
【請求項１】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、それぞれの複数の前記ポートの少なくとも一部に対し個別に存在し、かつ前記ポートのそれぞれに前記光変換手段が接続されているか否かの情報を含んでおり、
前記制御回路は、前記照明ユニット情報を基に、複数の前記ポートのそれぞれに接続された前記１次光源を各々制御し、前記ポートに前記光変換手段が接続されていない場合、前記ポートに接続された前記１次光源の出力を禁止することを特徴とする光源装置。
【請求項２】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、それぞれの複数の前記ポートの少なくとも一部に対し個別に存在し、かつ前記ポートのそれぞれに接続された前記光変換手段が変換可能な１次光の条件を含んでおり、
前記制御回路は、前記照明ユニット情報を基に、複数の前記ポートのそれぞれに接続された前記１次光源を各々制御し、前記ポートを介して接続されている前記１次光源が前記１次光の条件を満たす事ができる場合は、前記１次光源の出力を許可することを特徴とする光源装置。
【請求項３】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、それぞれの複数の前記ポートの少なくとも一部に対し個別に存在し、かつ前記ポートのそれぞれに接続された前記光変換手段が変換可能な１次光の条件を含んでおり、
前記制御回路は、前記照明ユニット情報を基に、複数の前記ポートのそれぞれに接続された前記１次光源を各々制御し、前記ポートを介して接続されている前記１次光源を、前記１次光の条件を満たすように制御することを特徴とする光源装置。
【請求項４】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、それぞれの複数の前記ポートの少なくとも一部に対し個別に存在し、かつ前記ポートのそれぞれに接続された前記光変換手段が変換可能な１次光の条件を含んでおり、
前記１次光の条件は、許容入射光量であり、
前記制御回路は、前記１次光源の出力光量が前記許容入射光量を超えない範囲で制御することを特徴とする光源装置。
【請求項５】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、それぞれの複数の前記ポートの少なくとも一部に対し個別に存在し、かつ前記ポートのそれぞれに接続された前記光変換手段が変換可能な１次光の条件を含んでおり、
前記１次光の条件は、前記光変換手段の動作に必要な１次光の吸収スペクトル又は吸収スペクトルのピーク波長であることを特徴とする光源装置。
【請求項６】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニットは複数の前記光変換手段が同時に動作する構成となっており、
前記照明ユニット情報は、所望の照明光を得る為に必要な複数の前記光変換手段へ入射するべき１次光の光量比であり、
前記制御回路は前記光量比を保つように各ポートに接続された前記１次光源の出力光量を制御する事を特徴とする光源装置。
【請求項７】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、前記照明ユニット側の前記ポートの１次光伝達に関する光学的な情報を含んでおり、
前記光源ユニット側の前記ポートの情報から、前記１次光を伝達可能と判断した場合、該ポートに接続された前記１次光源の出力を許可する事を特徴とする光源装置。
【請求項８】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、前記ポートのそれぞれに接続された前記光変換手段の種類であり、
前記光源ユニットは、第１のテーブルを基に、前記光変換手段の種類から変換可能な前記１次光の条件を求め、前記１次光源の出力を制御する事を特徴とする光源装置。
【請求項９】
１次光を射出する１次光源を有する光源ユニットと、
前記１次光源から射出された前記１次光を受光し、照明光として２次光に光変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記光変換手段が変換可能な前記１次光の情報、又は前記ポートの１次光伝達に関する光学的情報である照明ユニット情報を、前記接続部を介して前記光源ユニットに伝達する情報伝達手段とを有し、
前記光源ユニットは、前記情報伝達手段を経由して得られた前記照明ユニット情報を基に前記１次光源の射出を制御する制御回路を持ち、
前記照明ユニット情報は、前記照明ユニットの固有の識別符号であり、
前記光源ユニットは第２のテーブルを基に、前記固有の識別符号から前記ポートのそれぞれに接続された前記光変換手段が変換可能な前記１次光の条件を求め、前記１次光の条件を基に前記１次光源の出力を制御する事を特徴とする光源装置。
【請求項１０】
１次光を射出する１次光源を有する光源ユニットと、
前記１次光源から射出された１次光を受光し、照明光として２次光に変換して射出する光変換手段を有する照明ユニットと、
前記光源ユニットと前記照明ユニットとを着脱する接続部と、
前記照明ユニットの情報である照明ユニット情報を、前記光源ユニットに伝達する情報伝達手段とを有し、
前記接続部には前記１次光源より射出された前記１次光を前記光変換手段へ受け渡すことが可能なポートが設けられ、
前記情報伝達手段は、前記照明ユニットの機械的な情報または熱的な情報である前記照明ユニット情報を、前記接続部を介して前記光源ユニットに伝達する事を特徴とする光源装置。
【請求項１１】
１次光を射出する一次光源を有する光源ユニットと、
前記１次光源から射出された前記１次光を受光し、照明光として２次光に変換して射出する光変換手段を有する照明ユニットと、
前記１次光源より射出された前記１次光を前記光変換手段へ受け渡すことが可能な複数のポートが設けられ、前記光源ユニットと前記照明ユニットとを着脱する接続部と、
前記照明ユニットの情報である照明ユニット情報を、前記光源ユニットに伝達する情報伝達手段と、を有し、
前記光源ユニットは、前記情報伝達手段を経由して得られた前記照明ユニット情報を基に前記１次光源の射出を制御する制御回路を有し、
前記情報伝達手段は、前記照明ユニットが有する前記光変換手段が変換可能な前記１次光の条件を、前記接続部を介して前記光源ユニットに伝達する事を特徴とする光源装置。
【請求項１２】
前記１次光の条件は、許容入射光量であり、
前記制御回路は、前記１次光源の出力光量が前記許容入射光量を超えない範囲で制御する事を特徴とする請求項１１に記載の光源装置。
【請求項１３】
前記１次光の条件は、前記光変換手段の動作に必要な１次光の吸収スペクトル又は吸収スペクトルのピーク波長である事を特徴とする請求項１１に記載の光源装置。
【請求項１４】
前記光源ユニットは、前記１次光源を複数有し、
前記制御回路は、前記情報伝達手段から得られた前記光変換手段が変換可能な前記一次光の情報に基づいて、前記ポートから複数の種類の１次光を切り替えて出力する事を特徴とする請求項１１に記載の光源装置。
【請求項１５】
前記光源ユニットは、前記複数の光源が射出する１次光を合波し、前記ポートへ射出する合波器を有し、
前記制御回路は、前記複数の１次光源の動作・非動作を切り替えることで、前記ポートから射出する光を切り替えて出力することを特徴とする請求項１４に記載の光源装置。
【請求項１６】
前記光源ユニットは、前記複数の１次光源と前記ポートとの接続状態を切り替える切替手段を有し、
前記制御回路は、前記切り替え手段を制御することで、前記ポートから射出する光を切り替えて出力可能なことを特徴とする請求項１４に記載の光源装置。
【請求項１７】
前記ポートは、一端が前記接続部に接続され、もう一方の端が前記照明ユニットに接続される光ファイバであることを特徴とする請求項１１に記載の光源装置。
【発明の詳細な説明】
【技術分野】
【０００１】
本発明は、照明光を放射する光源装置に関する。
【背景技術】
【０００２】
照明光を放射する光源装置の先行技術が、例えば特許文献１に記載されている。特許文献１の光源装置は、レーザ光源と、光ファイバからなるライトガイドと、波長変換部材とにより構成されている発光ユニットを複数組み合わせた発光装置が提案されている。ここでは、光ファイバからなるライトガイドの基端部に青色レーザ光源、ライトガイドの先端部に波長変換部材がそれぞれ配設され、青色レーザ光源から射出されたレーザ光をライトガイドで先端まで導光し、ライトガイドの先端の波長変換部材で波長変換する第１ユニットが構成されている。さらに、青色より短い波長のレーザ光源と、ライトガイドと、波長変換部材とを用いて第２ユニットが構成されている。そして、第１ユニットと第２ユニットとを組み合わせて発光装置を構成することにより、第１ユニット単体の場合と比較して演色性が向上することが記載されている。
【先行技術文献】
【特許文献】
【０００３】
【特許文献１】特開２００６−１７３３２４号公報
【発明の概要】
【発明が解決しようとする課題】
【０００４】
近年、内視鏡等の観察に用いる光源装置では、観察の目的に応じて、照明光の明るさやピーク波長、発光色すなわちスペクトル形状、放射角、照射パターン形状などを適切に選択することで、観察対象物の視認性を向上するなどの取組みが進められている。
特許文献１のような従来技術による光源装置では、目的に応じた照明光を得るためには、光源装置の本体内に異なる種類の発光ユニットを複数用意し、目的に応じて使用する発光ユニットの組み合わせを調整する必要がある。しかし、光源装置の本体内に多数の発光ユニットを用意することは、コストや保管場所などの観点から望ましくない。
【０００５】
本発明は上記事情に着目してなされたもので、その目的は、目的に応じた様々な種類の照明光を放射可能な光源装置を提供することにある。
【課題を解決するための手段】
【０００６】
本発明の一局面の態様は、１次光を射出する光源ユニットと、前記１次光を２次光に光変換して射出する照明ユニットと、前記光源ユニットと前記照明ユニットとを着脱する接続部と、前記照明ユニットの情報である照明ユニット情報を、前記光源ユニットに伝達する情報伝達手段とを有することを特徴とする光源装置である。
【０００７】
好ましくは、前記光源ユニットは、１次光を射出する１次光源と、前記情報伝達手段を経由して得られた前記照明ユニット情報を基に前記１次光源の射出を制御する制御回路とを持ち、前記照明ユニットは、前記１次光源から射出された１次光を受光し、照明光として２次光に変換して射出する光変換手段を有しており、前記接続部には前記１次光源より射出された前記１次光を前記光変換手段へ受け渡すことが可能なポートが設けられている。
【０００８】
好ましくは、前記情報伝達手段は、前記照明ユニットが有する前記光変換手段が変換可能な前記１次光の情報、又は前記ポートの１次光伝達に関する光学的情報である前記照明ユニット情報を、前記接続部を介して前記光源ユニットに伝達する。
好ましくは、前記情報伝達手段は、前記照明ユニットの機械的な情報または熱的な情報である照明ユニット情報を、前記接続部を介して前記光源ユニットに伝達する。
【０００９】
好ましくは、前記ポートは複数であり、前記照明ユニット情報はそれぞれの複数の前記ポートの少なくとも一部に対し個別に存在し、前記制御回路は前記照明ユニット情報を基に、複数の前記ポートのそれぞれに接続された前記１次光源を各々制御する。
好ましくは、前記照明ユニット情報は、前記ポートのそれぞれに前記光変換手段が接続されているか否かの情報を含んでおり、前記制御回路は、前記ポートに前記光変換手段が接続されていない場合、前記ポートに接続された前記１次光源の出力を禁止する。
【００１０】
好ましくは、前記照明ユニット情報は、前記ポートのそれぞれに接続された前記光変換手段が変換可能な１次光の条件を含んでおり、前記制御回路は、前記ポートを介して接続されている前記１次光源が前記１次光の条件を満たす事ができる場合は、前記１次光源の出力を許可する。
【００１１】
好ましくは、前記照明ユニット情報は、前記ポートのそれぞれに接続された前記光変換手段が変換可能な１次光の条件を含んでおり、前記制御回路は、前記ポートを介して接続されている前記１次光源を、前記１次光の条件を満たすように制御する。
好ましくは、前記１次光の条件は、許容入射光量であり、前記制御回路は、前記１次光源の出力光量が前記許容入射光量を超えない範囲で制御する。
【００１２】
好ましくは、前記１次光の条件は、前記光変換手段の動作に必要な１次光の吸収スペクトル又は吸収スペクトルのピーク波長である。
好ましくは、前記照明ユニットは複数の前記光変換手段が同時に動作する構成となっており、
前記照明ユニット情報は、所望の照明光を得る為に必要な複数の前記光変換手段へ入射するべき１次光の光量比であり、前記制御回路は前記光量比を保つように各ポートに接続された前記１次光源の出力光量を制御する。
【００１３】
好ましくは、前記照明ユニット情報は、前記照明ユニット側の前記ポートの１次光伝達に関する光学的な情報を含んでおり、前記光源ユニット側の前記ポートの情報から、前記１次光を伝達可能と判断した場合、該ポートに接続された前記１次光源の出力を許可する。
【００１４】
好ましくは、前記照明ユニット情報は、前記ポートのそれぞれに接続された前記光変換手段の種類であり、前記光源ユニットは、第１のテーブルを基に、前記光変換手段の種類から変換可能な前記１次光の条件を求め、前記１次光源の出力を制御する。
好ましくは、前記照明ユニット情報は、前記照明ユニットの固有の識別符号であり、前記光源ユニットは第２のテーブルを基に、前記固有の識別符号から前記ポートのそれぞれに接続された前記光変換手段が変換可能な前記１次光の条件を求め、前記１次光の条件を基に前記１次光源の出力を制御する。
【００１５】
好ましくは、前記光源ユニットは、前記ポートから異なる特性を持った複数の種類の１次光を切り替えて出力可能である。
好ましくは、前記制御回路は、前記情報を取得できない場合、前記光源ユニットの動作を許可しない。
好ましくは、前記光源ユニットは、報知器を備え、前記照明ユニット情報、または前記光源ユニットに搭載された１次光源の情報、または前記１次光源の出力の許可の状態を基に、前記光源装置として使用可能な機能、または前記１次光源の出力が許可されない、又は出力が禁止された状態のうちのいずれか１つを前記報知器により報知する。
【発明の効果】
【００１６】
本発明によれば、目的に応じた様々な種類の照明光を放射可能な光源装置を提供することができる。
【図面の簡単な説明】
【００１７】
【図１】本発明の第１の実施の形態の光源装置の全体の概略構成を示す図。
【図２】第１の実施の形態の光源装置の光源ユニットと照明ユニットとの接続状態を示す要部の概略構成図。
【図３】第１の実施の形態の光源装置の照明ユニットの先端端面における第１の光変換手段および第２の光変換手段の配置状態を示す要部の正面図。
【図４】第１の実施の形態の光源装置の制御回路の動作を説明するためのフローチャート。
【図５】本発明の第２の実施の形態の光源装置の全体の概略構成を示す図。
【図６】本発明の第３の実施の形態の光源装置の全体の概略構成を示す図。
【発明を実施するための形態】
【００１８】
［第１の実施の形態］  
（構成）  
図１乃至図４は、本発明の第１の実施の形態を示す。図１は、第１の実施の形態の光源装置１の全体の概略構成を示す図である。本実施の形態の光源装置１は、図１に示す様に、光源ユニット２、照明ユニット３及びそれらを接続する接続部４より構成されている。
【００１９】
光源ユニット２は、３つの１次光源（第１の１次光源５と、第２の１次光源６と、第３の１次光源７）と、制御回路８と、ユーザへ報知する報知器９（図２参照）とを有している。第１の１次光源５と、第２の１次光源６と、第３の１次光源７は、それぞれ射出される１次光の特性（１次光の最大光出力、ピーク波長、スペクトル形状、などの射出光機能）の少なくとも一部が互いに異なる例えば半導体レーザ光源によって形成されている。ここで、第１の１次光源５は、例えば青色レーザ光源、第２の１次光源６は、青色レーザ光源よりも短い波長のレーザ光源、第３の１次光源７は、第１の１次光源５、第２の１次光源６とは異なる波長のレーザ光源によって形成されている。
【００２０】
制御回路８は、第１の１次光源５と、第２の１次光源６と、第３の１次光源７と、報知器９にそれぞれ信号線（あるいは無線通信）を介して接続されている。そして、第１の１次光源５と、第２の１次光源６と、第３の１次光源７とは制御回路８からの制御信号によって出力が制御される。報知器９も制御回路８からの制御信号によって出力が制御される。
【００２１】
第１の１次光源５には第１の光ファイバ１０の一端が接続されている。同様に、第２の１次光源６には第２の光ファイバ１１の一端、第３の１次光源７には第３の光ファイバ１２の一端がそれぞれ接続されている。
接続部４は、光源ユニット２側に接続された第１のコネクタ部４ａと、照明ユニット３側に接続された第２のコネクタ部４ｂとを有する。第１のコネクタ部４ａには、光学的接続を実現する光接続用の３つの光ポート（第１光ポート４ａ１、第２光ポート４ａ２、第３光ポート４ａ３）と、情報伝達手段である電気的接続を実現する電気接続用の１つの電気ポート４ａ４とが設けられている。
【００２２】
第１のコネクタ部４ａの第１光ポート４ａ１には、第１の光ファイバ１０の他端が接続されている。同様に、第２光ポート４ａ２には第２の光ファイバ１１の他端、第３光ポート４ａ３には第３の光ファイバ１２の他端がそれぞれ接続されている。さらに、第１のコネクタ部４ａの電気ポート４ａ４には制御回路８が電気信号線１３を介して接続されている。
【００２３】
接続部４の第２のコネクタ部４ｂには、光接続用の３つの光ポート（第１光ポート４ｂ１、第２光ポート４ｂ２、第３光ポート４ｂ３）と、電気接続用の１つの電気ポート４ｂ４とが設けられている。
また、照明ユニット３は、例えば円柱状の形状のユニット本体１４を有する。ユニット本体１４の基端部には前記第２のコネクタ部４ｂが配設されている。ユニット本体１４の先端部の端面には、１次光のピーク波長、スペクトル形状、放射角の少なくともひとつを変換して照明光（２次光）として射出する複数、本実施の形態では図３に示すように２つの光変換手段（第１光変換手段１５と、第２光変換手段１６）が搭載されている。２つの光変換手段（第１光変換手段１５と、第２光変換手段１６）は、３つの１次光源（第１の１次光源５と、第２の１次光源６と、第３の１次光源７）のいずれかから射出された１次光を受光し、照明光として２次光に変換して射出する光変換機能を有する。そして、第１光変換手段１５，第２光変換手段１６より放射された光は照明ユニット３の端面より放射される。
【００２４】
第１光変換手段１５には、第１の光ファイバ１７の一端が接続されている。同様に、第２光変換手段１６には、第２の光ファイバ１８の一端が接続されている。第１の光ファイバ１７の他端は、第２のコネクタ部４ｂの第１光ポート４ｂ１に、第２の光ファイバ１８の他端は、第２光ポート４ｂ２にそれぞれ接続されている。なお、第２のコネクタ部４ｂの第３光ポート４ｂ３には何も接続されていない。
【００２５】
さらに、照明ユニット３のユニット本体１４は、照明ユニット３の照明ユニット情報を記録する記録媒体としてＲＯＭ１９を有している。このＲＯＭ１９には、照明ユニット情報として、光接続用の３つの光ポート（第１光ポート４ｂ１、第２光ポート４ｂ２、第３光ポート４ｂ３）に対する光変換手段（第１光変換手段１５と、第２光変換手段１６）の接続の有無と、光接続用の３つの光ポート（第１光ポート４ｂ１、第２光ポート４ｂ２、第３光ポート４ｂ３）に接続された光変換手段（第１光変換手段１５と、第２光変換手段１６）の動作に必要な１次光の特性（最大光出力、ピーク波長、スペクトル形状）の情報が記憶されている。このＲＯＭ１９は電気信号線２０を介して第２のコネクタ部４ｂの電気ポート４ｂ４に接続されている。
【００２６】
そして、接続部４の第１のコネクタ部４ａと第２のコネクタ部４ｂとは互いに着脱可能に接続される。第１のコネクタ部４ａと第２のコネクタ部４ｂとの接続時には、第１のコネクタ部４ａの光接続用の３つの光ポート（第１光ポート４ａ１、第２光ポート４ａ２、第３光ポート４ａ３）と、電気接続用の１つの電気ポート４ａ４とがそれぞれ対応する第２のコネクタ部４ｂの光接続用の３つの光ポート（第１光ポート４ｂ１、第２光ポート４ｂ２、第３光ポート４ｂ３）と、電気接続用の１つの電気ポート４ｂ４とに着脱可能に接続される。このとき、第１のコネクタ部４ａの電気ポート４ａ４と、第２のコネクタ部４ｂの電気ポート４ｂ４との接続により、照明ユニット３のＲＯＭ１９と、光源ユニット２の制御回路８とが接続され、制御回路８によって接続部４の電気ポート４ａ４、４ｂ４を介してＲＯＭ１９の内容を読み出すことが可能となっている。
【００２７】
また、制御回路８は、図示しないＲＯＭなど情報を記憶する手段を持っている。そして、接続部４の光接続用の３つの光ポート（第１光ポート４ａ１、第２光ポート４ａ２、第３光ポート４ａ３）に接続された光源ユニット２内の１次光源（第１の１次光源５と、第２の１次光源６と、第３の１次光源７）の特性に関する情報を持っている。
【００２８】
（作用）  
次に、上記構成の作用について説明する。本実施の形態の光源装置１の使用時には、光源ユニット２の第１のコネクタ部４ａと、照明ユニット３の第２のコネクタ部４ｂとの間が接続される。この光源ユニット２と照明ユニット３との接続時には、図２に示すように第１のコネクタ部４ａの電気ポート４ａ４と、第２のコネクタ部４ｂの電気ポート４ｂ４との接続により、照明ユニット３のＲＯＭ１９と、光源ユニット２の制御回路８とが接続される。この状態で、制御回路８は、接続部４の電気ポート４ａ４、４ｂ４を介してＲＯＭ１９に納められた情報を読み出すことができる。
【００２９】
そして、制御回路８は、照明光を得る為に光源ユニット２の３つの１次光源（第１の１次光源５と、第２の１次光源６と、第３の１次光源７）を動作させる前に、予め前記ＲＯＭ１９より対象となっている１次光源が接続される光ポート（第１光ポート４ａ１、第２光ポート４ａ２、第３光ポート４ａ３）に対して、その光ポートとそれぞれ対応する照明ユニット３の光ポート（第１光ポート４ｂ１、第２光ポート４ｂ２、第３光ポート４ｂ３）に光変換手段が接続されているか否かの情報と、光変換手段の動作に必要な１次光の特性の情報を読み込む。
【００３０】
このとき、図４のフローチャートに示すようにまず、ステップＳ１ａ、ステップＳ１ｂ、ステップＳ１ｃで照明ユニット３の第１光ポート４ｂ１、第２光ポート４ｂ２、第３光ポート４ｂ３に光変換手段が接続されているかを判断する。ここで、接続されていると判断された場合は、次のステップＳ２ａ、ステップＳ２ｂ、ステップＳ２ｃに進み、光変換手段が接続されていないと判断された場合は、次のステップＳ３ａ、ステップＳ３ｂ、ステップＳ３ｃに進む。ステップＳ３ａでは、第１の１次光源５の動作を停止状態で保持する。同様に、ステップＳ３ｂでは、第２の１次光源６の動作を停止状態で保持し、ステップＳ３ｃでは、第３の１次光源７の動作を停止状態で保持する。
【００３１】
ステップＳ２ａ、ステップＳ２ｂ、ステップＳ２ｃでは、光変換手段で動作可能な１次光の特性と１次光源の特性が適合しているか否か、すなわち１次光源により光変換手段を動作させる事が可能か否かを判断する。ここで、適合または動作可能と判断した場合には次のステップＳ４ａ、ステップＳ４ｂ、ステップＳ４ｃに進み、適合または動作可能と判断されない場合は、ステップＳ３ａ、ステップＳ３ｂ、ステップＳ３ｃに進む。そして、ステップＳ４ａでは、第１の１次光源５を動作させる。同様に、ステップＳ４ｂでは第２の１次光源６を動作させ、ステップＳ４ｃでは第３の１次光源７を動作させる。
【００３２】
ここで、制御回路８は、この制御回路８内に設けられた図示しないＲＯＭなど記録手段に記録された、１次光源（第１の１次光源５と、第２の１次光源６と、第３の１次光源７）に関する情報を基に前記判断を実施する。
次に、図２の例による制御回路８の動作について説明する。図２は、光源ユニット２側に３つの１次光源（第１の１次光源５と、第２の１次光源６と、第３の１次光源７）があり、照明ユニット３側に２つの光変換手段（第１光変換手段１５と、第２光変換手段１６）が搭載されている一例を示す。ここで、第１光変換手段１５は、第１の１次光源５と特性が適合し、第２光変換手段１６は、第２の１次光源６と特性が適合していない例である。
【００３３】
この例の光源ユニット２の第１のコネクタ部４ａと、照明ユニット３の第２のコネクタ部４ｂとの間が接続された場合には、光源ユニット２側の第１光ポート４ａ１と接続される照明ユニット３側の第１光ポート４ｂ１には、第１光変換手段１５が接続されている。このとき、ステップＳ１ａは「Ｙ」となり、ステップＳ２ａに進む。さらに、第１光変換手段１５の動作に必要な１次光の特性を第１の１次光源５は満たしているので、ステップＳ２ａは「Ｙ」となり、ステップＳ４ａに進む。これにより、制御回路８は第１の１次光源５の動作を許可する。
【００３４】
また、光源ユニット２側の第２光ポート４ａ２と接続される照明ユニット３側の第２光ポート４ｂ２には、第２光変換手段１６が接続されている。このとき、ステップＳ１ｂは「Ｙ」となり、ステップＳ２ｂに進む。この場合、第２光変換手段１６の動作に必要な１次光の特性を第２の１次光源６は満たしていないので、ステップＳ２ｂは「Ｎ」となり、ステップＳ３ｂに進む。これにより、制御回路８は第２の１次光源６の動作を許可しない。
【００３５】
また、光源ユニット２側の第３光ポート４ａ３と接続される照明ユニット３側の第３光ポート４ｂ３には、光変換手段が接続されていない。このとき、ステップＳ１ｃは「Ｎ」となり、ステップＳ３ｃに進む。これにより、制御回路８は第３の１次光源７の動作を許可しない。
【００３６】
したがって、図２の場合の例では、光源ユニット２側は、第１の１次光源５のみが動作する。そして、第１の１次光源５から射出されたレーザ光（１次光）は、光源ユニット２側の第１の光ファイバ１０、第１のコネクタ部４ａの第１光ポート４ａ１、第２のコネクタ部４ｂの第１光ポート４ｂ１、照明ユニット３側の第１の光ファイバ１７を順次介して第１光変換手段１５に導光される。この第１光変換手段１５で受光された１次光は、２次光に光変換されて放射される。この第１光変換手段１５より放射された光は照明ユニット３の端面より照明光として外部に放射される。尚、本実施形態では並列的に判断処理を実施するように記述したが、順次処理を行っても良い。
【００３７】
なお、ＲＯＭ１９より情報を読むことができない場合は、原則として１次光源の動作を許可しない。さらに、動作させる１次光源は、ユーザの操作により決定しても良い。また、光源ユニット２に接続可能な照明ユニット３を把握する為に、光源ユニット２に搭載された１次光源の情報を報知器９によりユーザへ報知しても良い。
【００３８】
また、照明ユニット３の照明ユニット情報、すなわち光変換手段の動作に必要な１次光の特性を報知器９によりユーザへ報知しても良い。動作可能な光源と光変換手段の組合せを、報知器９によりユーザに示しても良い。もしくはその組合せで実現される照明光の名前を報知器９により表示しても良い。または、動作が禁止された光源ユニット２内の１次光源を報知しても良い。
【００３９】
（効果）  
そこで、上記構成のものにあっては次の効果を奏する。すなわち、本実施の形態では、光源ユニット２と照明ユニット３を着脱可能な光源装置１が実現できる。これにより、光源ユニット２と照明ユニット３を適切に組み合わせることで、目的に応じた照明光を得ることが可能となる。すなわち、本実施の形態では、光源ユニット２と照明ユニット３との接続時には、第１のコネクタ部４ａの電気ポート４ａ４と、第２のコネクタ部４ｂの電気ポート４ｂ４との接続により、照明ユニット３のＲＯＭ１９と、光源ユニット２の制御回路８とが接続される。これにより、制御回路８によって接続部４の電気ポート４ａ４、４ｂ４を介してＲＯＭ１９の内容を読み出す情報伝達手段を設けることで、光源ユニット２に搭載された３つの１次光源（第１の１次光源５と、第２の１次光源６と、第３の１次光源７）に対し、照明ユニット３の２つの光変換手段（第１光変換手段１５と、第２光変換手段１６）を適切に選択し、組み合わせることで、射出する照明光（２次光）の光特性を切替可能となっている。この組合せを適切に選択することで、様々な光を放射可能な光源ユニット２を、スペース効率よく配置できる光源装置１を実現することができる。
【００４０】
その結果、照明ユニット３から光源ユニット２へ照明ユニット情報を伝達し、その照明ユニット情報に基づき、接続部４のポートを介した光源ユニット２の３つの１次光源（第１の１次光源５と、第２の１次光源６と、第３の１次光源７）と、照明ユニット３に搭載された２つの光変換手段（第１光変換手段１５と、第２光変換手段１６）の接続が適切な組合せであると判断したときに、そのポートに接続された光源の出力を許可することで、確実な動作を実現することができる。これにより、最適で安全な照明光を、操作者が作業することなく、自動で得る事ができる。
【００４１】
［第１の実施形態の変形例］  
なお、本実施形態では、制御回路８とＲＯＭ１９は電気的に接続されているが、電気−光変換を行って光学的に制御回路８とＲＯＭ１９と接続しても良い。その場合、接続部４でのポートは光ポートとなる。また、本実施形態では、照明ユニット情報をＲＯＭ１９に記録する構成としたが、接続部４の照明ユニット３側にバーコードのような反射パターンや、凹凸を用いて照明ユニット情報を記録しておき、光源ユニット２側にその反射パターンを光学的・機械的に読む機構を設置しても良い。
【００４２】
また、本実施の形態の光源装置１と併用する為に照明ユニット３と並んで映像取得機能など他の機能を併設してもよい。この場合、併設された映像取得機能の情報についてもＲＯＭ１９に記録しておき、前記制御回路８は前記照明ユニット情報と組み合わせて映像取得機能の動作に必要な照明光が得られるような、光変換手段と１次光源の組合せを考慮して１次光源を制御する構成としても良い。
【００４３】
また、１次光源の特性の内、１次光源の動作で調整可能な特性を持つ場合は、１次光源の特性の調整可能な範囲に光変換手段が動作可能な範囲が含まれるか否かで１次光源の動作の可否を判断しても良い。さらに、１次光源の動作を、光変換手段の動作に必要な特性の範囲の中で調整し、動作させる構成も取ることができる。
【００４４】
［実施例１］  
調整可能な特性：１次光源の１次光の光量
・１次光源の特性の調整可能な範囲：５００ｍＷ以下
・光変換手段の動作可能な範囲：０ｍＷ〜４００ｍＷ
この場合は、１次光源の特性の調整可能な範囲が光変換手段の動作可能な範囲を含んでいるので、動作可能と判断する。そして、１次光源は０ｍＷ〜４００ｍＷの範囲で出力光量を調整し動作させる。
【００４５】
また、１次光源を波長可変光源で構成し、動作に必要なスペクトル形状を基に動作可能か判断、波長調整を行っても良い。
照明ユニット情報として、１次光の光量可変手法の情報を記録しても良い。例えば、電流可変、パルス幅変調などである。可変手法とそれに応じた動作可能な光量範囲等の１次光の条件を対にして記録しても良い。
【００４６】
照明ユニット情報より、１次光源と光変換手段の組合せから動作可能な照明機能を求め、光源を動作させる前や動作中に動作可能な照明機能の種類や名前をユーザに表示する構成としても良い。この場合は、ユーザはどの照明機能が使用出来るか把握することができる。
【００４７】
また、照明ユニット情報より、１次光源と光変換手段の組合せから動作が許可されない照明機能を求め、光源を動作させる前や動作中に許可されない照明機能の種類や名前をユーザに表示する構成としても良い。
また、本来動作させるべき組合せの1次光源又は光変換手段に重大な故障が発生し、発光ができない場合等の緊急時には、射出端からの照明光が安全である範囲であれば、通常は許可されない組合せだが、適さない波長の光であっても発光を特別に許可する構成としてもよい。そのために、最適な１次光の条件では無いが、安全を確保した状態で照明光を射出できる条件を照明ユニット情報としてＲＯＭに記録しておいても良い。
【００４８】
また、照明ユニット３の第３光ポート４ｂ３では、光変換手段が接続されていないが、この場合は、照明ユニット３側の第３光ポート４ｂ３を設けない、すなわちブラインドポートとしても良い。その場合は、該ポートに光変換手段が接続されていないものとして処理すればよい。
【００４９】
尚、本実施形態では、ＲＯＭ１９に照明ユニット３の光変換手段の光学的情報を記録したが、機械的な情報、又は熱的な情報を記録し、動作に適しているか判断する構成としても良い。
光源ユニット２の第１のコネクタ部４ａと、照明ユニット３の第２のコネクタ部４ｂとの間の接続部４の形状に関する情報を基に、機械的に確実に接続可能であるか否かを判断したり、照明ユニット２の形状に関する情報を基に、光源装置１の使途として照明ユニット３の形状が適合しているか否かを判断し、１次光源の動作を制御する構成にしてもよい。
【００５０】
また、熱的な制約条件に関する情報を基に、例えば照明ユニット３において所定の熱量以下での動作が条件とした場合、その条件を満たす発熱量となるように、制御回路は１次光源の出力光量を制御する構成にしてもよい。
［第１の変形例］  
ＲＯＭ１９には、照明ユニット情報として各ポートの１次光伝達に関する光学的特性の情報を記録し、制御回路８は自身が持っている光源ユニット２側の光ポートの１次光伝達に関する光学的特性の情報と比較し、１次光を伝達可能と判断した時に、該当する光ポートに接続された１次光源の動作を許可する構成としても良い。このとき、光源ユニット２側の光ポートの１次光伝達に関する光学的特性と、照明ユニット３側の光ポートの１次光伝達に関する光学的特性が合致した場合は伝達可能と判断するが、合致しない場合にも後述のように問題のない組合せである場合には伝達可能と判断する事ができる。
【００５１】
例えば、照明ユニット３側の光ポートはコア径φ１１５μｍの光ファイバであり、光源ユニット２側の光ポートはコア径φ５０μｍの光ファイバである場合、光源ユニット２側から照明ユニット３側への光結合は十分される為、問題が無いと判断されるので１次光源の動作を許可する。
【００５２】
また、例えば、照明ユニット３側の光ポートはコア径φ１０５μｍの光ファイバであり、光源ユニット２側の光ポートはコア径φ１１５μｍの光ファイバである場合、ポートでの漏れ光が許容範囲に入ると判断されるので１次光源の動作を許可する。
ここでは、光ポートの１次光伝達に関する光学特性としてコア径を例に挙げたが、他に光ファイバのコア中心の位置や、ＮＡが光学特性の例として挙げることもできる。
【００５３】
［第２の変形例］  
ＲＯＭ１９には、動作に必要な１次光の特性の情報ではなく、照明ユニット情報として光変換手段の種類が記録されている。制御回路８は、光変換手段の種類と、その動作に必要な１次光の特性に関する情報を記録したテーブルを持っており、ＲＯＭ１９より得られた光変換手段の種類の情報から、その動作に必要な１次光の特性を前記テーブルから得て、第１の実施形態に記載のように判断して１次光源の制御を行っても良い。
【００５４】
尚、制御回路８には、各１次光源が対応可能な光変換手段の種類を情報として持っておき、ＲＯＭ１９に記録された光変換手段の種類から１次光特性に一度変換せずに１次光源との組合せが可能か否かを判断しても良い。
［第２の実施の形態］  
（構成）  
図５は、本発明の第２の実施の形態を示す。本実施の形態は、第１の実施の形態（図１乃至図４参照）の光源装置１の構成を次の通り変更したものである。なお、図５中で、図１乃至図４と同一部分には同一の符号を付してその説明を省略する。
【００５５】
本実施の形態の光源装置２１は、光源ユニット２側に接続された第１のコネクタ部４ａに光接続用の１つの光ポート２２ａと、電気接続用の１つの電気ポート２３ａとが設けられている。
また、光源ユニット２には、３つの１次光源（第１の１次光源５と、第２の１次光源６と、第３の１次光源７）の動作・非動作の制御で切り替える(静的スイッチ)である光カプラ（合波器）２４が設けられている。この光カプラ２４の入力端は、第１の１次光源５に接続された第１の光ファイバ１０の出力端と、第２の１次光源６に接続された第２の光ファイバ１１の出力端と、第３の１次光源７に接続された第３の光ファイバ１２の出力端とそれぞれ接続されている。光カプラ２４の出力端は、第１のコネクタ部４ａの光ポート２２ａに接続されている。なお、第１のコネクタ部４ａの電気ポート２３ａには、制御回路８が電気信号線１３を介して接続されている。
【００５６】
また、照明ユニット３側に接続された第１のコネクタ部４ａには、光接続用の１つの光ポート２２ｂと、電気接続用の１つの電気ポート２３ｂとが設けられている。照明ユニット３のユニット本体１４には、１つの光変換手段２５と、ＲＯＭ１９とが搭載されている。
【００５７】
光変換手段２５には、光ファイバ２６の一端が接続されている。光ファイバ２６の他端は、光ポート２２ｂに接続されている。ＲＯＭ１９には、照明ユニット情報として、光ポート２２ｂに接続された光変換手段２５の動作に必要な１次光の特性（最大光出力、ピーク波長、スペクトル形状）の情報が記憶されている。このＲＯＭ１９は電気信号線２７を介して第２のコネクタ部４ｂの電気ポート２３ｂに接続されている。
【００５８】
（作用）  
次に、上記構成の作用について説明する。本実施の形態の光源装置２１の使用時には、光源ユニット２の第１のコネクタ部４ａと、照明ユニット３の第２のコネクタ部４ｂとの間が接続される。この光源ユニット２と照明ユニット３との接続時には、図５に示すように第１のコネクタ部４ａの電気ポート２３ａと、第２のコネクタ部４ｂの電気ポート２３ｂとの接続により、照明ユニット３のＲＯＭ１９と、光源ユニット２の制御回路８とが接続される。この状態で、制御回路８は、接続部４の電気ポート２３ａ、２３ｂを介してＲＯＭ１９に納められた情報を読み出すことができる。
【００５９】
そして、制御回路８は、光変換手段２５の動作に必要な１次光の特性（最大光出力、ピーク波長、スペクトル形状）の情報を読み込む。このとき、図５の例では読み込んだ情報により、光変換手段２５には第２の１次光源６が組合せ可能であると判断、制御回路８は第２の１次光源６の動作のみを許可するので、第２の１次光源６のみが動作状態、他の２つの１次光源（第１の１次光源５と、第３の１次光源７）は非動作状態に切り替える制御が行われる。これにより、光源ユニット２の第２の１次光源６から射出されたレーザ光が出力され、光源ユニット２側の第２の光ファイバ１１、光カプラ２４、第１のコネクタ部４ａの光ポート２２ａ、第２のコネクタ部４ｂの光ポート２２ｂ、照明ユニット３側の光ファイバ２６を順次介して光変換手段２５に導光される。この光変換手段２５で受光された１次光は、２次光に光変換されて放射される。この光変換手段２５より放射された光は照明ユニット３の端面より照明光として外部に放射される。そのため、この例では光源ユニット２の第２の１次光源６から射出されたレーザ光の１次光が照明ユニット３側の光変換手段２５で２次光に光変換されて照明光として外部に放射される。
【００６０】
また、光源ユニット２と照明ユニット３との接続時に、光変換手段２５に光源ユニット２側の第１の１次光源５が適合している情報を読み出した場合には、制御回路８は第１の１次光源５の動作のみを許可する。この場合は、第１の１次光源５のみが動作状態、他の２つの１次光源（第２の１次光源６と、第３の１次光源７）は非動作状態に切り替える制御が行われる。これにより、光源ユニット２の第１の１次光源６から射出されたレーザ光が出力され、光源ユニット２側の第１の光ファイバ１０、光カプラ２４、第１のコネクタ部４ａの光ポート２２ａ、第２のコネクタ部４ｂの光ポート２２ｂ、照明ユニット３側の光ファイバ２６を順次介して光変換手段２５に導光される。そのため、この例では光源ユニット２の第１の１次光源５から射出されたレーザ光の１次光が照明ユニット３側の光変換手段２５で２次光に光変換されて照明光として外部に放射される。
【００６１】
また、光源ユニット２と照明ユニット３との接続時に、光変換手段２５に光源ユニット２側の第３の１次光源７が適合している情報を読み出した場合には、制御回路８は第３の１次光源７の動作のみを許可する。この場合は、第３の１次光源７のみが動作状態、他の２つの１次光源（第１の１次光源５と、第２の１次光源６）は非動作状態に切り替える制御が行われる。これにより、光源ユニット２の第３の１次光源７から射出されたレーザ光が出力され、光源ユニット２側の第３の光ファイバ１２、光カプラ２４、第１のコネクタ部４ａの光ポート２２ａ、第２のコネクタ部４ｂの光ポート２２ｂ、照明ユニット３側の光ファイバ２６を順次介して光変換手段２５に導光される。そのため、この例では光源ユニット２の第３の１次光源７から射出されたレーザ光の１次光が照明ユニット３側の光変換手段２５で２次光に光変換されて照明光として外部に放射される。
【００６２】
（効果）  
そこで、本実施の形態では第１実施形態の効果に加え、光源ユニット２側に光カプラ２４を設け、接続部４の第１のコネクタ部４ａに一つの光ポート２２ａのみを設ける構成にしたので、光源ユニット２側の第１のコネクタ部４ａを小型化することができる。
【００６３】
なお、接続部４の第１のコネクタ部４ａに複数の光ポート２２ａを設けても良い。この場合、接続部４の第１のコネクタ部４ａには、複数の１次光源を切替て出力可能な光ポート２２ａと、１次光源の切替が不可能な光ポートとを混在させてもよい。
［第３の実施の形態］  
（構成）  
図６は、本発明の第３の実施の形態を示す。本実施の形態は第２の実施の形態（図５参照）の光源装置２１を次の通り変更したものである。なお、図６中で、図５と同一部分には同一の符号を付してその説明を省略する。
【００６４】
本実施の形態の光源装置３１は、第２の実施の形態の光源ユニット２側の光カプラ２４に代えて、機械的にミラーやファイバを駆動し、３つの１次光源（第１の１次光源５と、第２の１次光源６と、第３の１次光源７）の第1のコネクタ部４ａの光ポート２２との接続状態を切り替える動的スイッチ３２を設けたものである。
【００６５】
動的スイッチ３２のスイッチ本体３２ａには、入力側に３つの光ポート３３ａ、３３ｂ、３３ｃ、出力側に１つの光ポート３４がそれぞれ配設されている。ここで、第１の光ポート３３ａには、第１の１次光源５に接続された第１の光ファイバ１０の出力端が接続されている。同様に、第２の光ポート３３ｂには、第２の１次光源６に接続された第２の光ファイバ１１の出力端、第３の光ポート３３ｃには、第３の１次光源７に接続された第３の光ファイバ１２の出力端がそれぞれ接続されている。
【００６６】
また、スイッチ本体３２ａの出力側の光ポート３４には、光ファイバ３５の一端が接続されている。この光ファイバ３５の他端は、第１のコネクタ部４ａの光ポート２２ａと接続されている。さらに、スイッチ本体３２ａの内部には、入力側の３つの光ポート３３ａ、３３ｂ、３３ｃと、出力側の光ポート３４との接続状態を切替える光路切り替え器３６が設けられている。この光路切り替え器３６は、制御回路８からの制御信号に基いて光路切り替え動作が行われるようになっている。これにより、スイッチ本体３２ａは、第１の光ポート３３ａと出力側光ポート３４とが接続された第１の光路と、第２の光ポート３３ｂと出力側光ポート３４とが接続された第２の光路と、第３の光ポート３３ｃと出力側光ポート３４とが接続された第３の光路とが切り替え操作されるようになっている。
【００６７】
（作用）  
次に、上記構成の作用について説明する。本実施の形態の光源装置３１の使用時には、光源ユニット２の第１のコネクタ部４ａと、照明ユニット３の第２のコネクタ部４ｂとの間が接続される。この光源ユニット２と照明ユニット３との接続時には、図６に示すように第１のコネクタ部４ａの電気ポート２３ａと、第２のコネクタ部４ｂの電気ポート２３ｂとの接続により、照明ユニット３のＲＯＭ１９と、光源ユニット２の制御回路８とが接続される。この状態で、制御回路８は、接続部４の電気ポート２３ａ、２３ｂを介してＲＯＭ１９に納められた情報を読み出すことができる。
【００６８】
そして、制御回路８は、光変換手段２５の動作に必要な１次光の特性（最大光出力、ピーク波長、スペクトル形状）の情報を読み込む。このとき、図６の例では光変換手段２５は光源ユニット２側の第３の１次光源７が適合している情報を読み出すことができる。ここで、本実施の形態では、制御回路８からの制御信号に基いて動的スイッチ３２のスイッチ本体３２ａの光路切り替え器３６の光路切り替え動作が行われる。このとき、光路切り替え器３６は、第３の光ポート３３ｃと出力側光ポート３４とが接続された第３の光路に切り替え操作される。
【００６９】
これにより、光源ユニット２の第３の１次光源７から射出されたレーザ光が出力され、光源ユニット２側の第３の光ファイバ１２、動的スイッチ３２の光路切り替え器３６、光ファイバ３５、第１のコネクタ部４ａの光ポート２２ａ、第２のコネクタ部４ｂの光ポート２２ｂ、照明ユニット３側の光ファイバ２６を順次介して光変換手段２５に導光される。そのため、この例では光源ユニット２の第３の１次光源７から射出されたレーザ光の１次光が照明ユニット３側の光変換手段２５で２次光に光変換されて照明光として外部に放射される。
【００７０】
また、光源ユニット２と照明ユニット３との接続時に光変換手段２５が光源ユニット２側の第１の１次光源５が適合している情報を読み出した場合には、制御回路８は動的スイッチ３２のスイッチ本体３２ａの光路切り替え器３６を第１の光ポート３３ｃと出力側光ポート３４とが接続された第１の光路に切り替え操作する。そのため、この例では光源ユニット２の第１の１次光源５から射出されたレーザ光の１次光が照明ユニット３側の光変換手段２５で２次光に光変換されて照明光として外部に放射される。
【００７１】
また、光源ユニット２と照明ユニット３との接続時に光変換手段２５が光源ユニット２側の第２の１次光源６が適合している情報を読み出した場合には、制御回路８は動的スイッチ３２のスイッチ本体３２ａの光路切り替え器３６を第２の光ポート３３ｂと出力側光ポート３４とが接続された第２の光路に切り替え操作する。そのため、この例では光源ユニット２の第２の１次光源６から射出されたレーザ光の１次光が照明ユニット３側の光変換手段２５で２次光に光変換されて照明光として外部に放射される。
【００７２】
（効果）  
そこで、本実施の形態でも第２実施形態と同様の効果が得られる。  
なお、本発明は上記実施の形態に限定されるものではない。例えば、第３の実施の形態の動的スイッチ３２の場合、駆動手段として静電アクチュエータ・電磁アクチュエータ・圧電アクチュエータを用いた物でもよい。また、接続部４の照明ユニット３側の第２のコネクタ部４ｂに凹凸部を設け、接続部４の光源ユニット２の第１のコネクタ部４ａと、照明ユニット３の第２のコネクタ部４ｂとの接続時にその凹凸部が動的スイッチ３２の光路切り替え器３６を機械的に動かし、光路を切り替える機構としても良い。その場合、凹凸部が照明ユニット情報となる。  
さらに、その他、本発明の要旨を逸脱しない範囲で種々変形実施できることは勿論である。  
【産業上の利用可能性】
【００７３】
本発明は、１次光を射出する光源ユニットと、この光源ユニットから射出された１次光を２次光に光変換して射出する照明ユニットとを備えた光源装置を使用する技術分野や、これを製造する技術分野に有効である。
【符号の説明】
【００７４】
２…光源ユニット、３…照明ユニット、４…接続部、４ａ４、４ｂ４…電気ポート（情報伝達手段）。
【図１】
0005780864.tif 000002
【図２】
0005780864.tif 000003
【図３】
0005780864.tif 000004
【図４】
0005780864.tif 000005
【図５】
0005780864.tif 000006
【図６】
0005780864.tif 000007